(57)【特許請求の範囲】
【請求項１】
スイッチギア・アセンブリ・システムであって、
取り外し可能なユニットの技術を使用するスイッチギア・アセンブリを有しており、
その取り外し可能なユニットは、スイッチギア・キャビネットの中に、且つその挿入区分の中に取り付けられ、フィールドバスを介して通信を行い、アプライアンス・アドレスによって一義的に識別され、且つ、アプライアンスの運転のために必要な基礎情報が、前記取り外し可能なユニットの中のメモリの中に貯えられている、
スイッチギア・アセンブリ・システムにおいて、
少なくとも一つの取り外し可能なユニット（１１）と前記フィールドバスの間の通信が、イーサネットＴＣＰ／ＩＰテクノロジーを用いて、実現されること、及び、
前記少なくとも一つの取り外し可能なユニット（１１）が、ＴＣＰ／ＩＰインターフェースを有していること、
を特徴とするスイッチギア・アセンブリ・システム。
【請求項２】
下記特徴を備えた請求項１に記載のスイッチギア・アセンブリ・システム：
少なくとも一つのイーサネット・スイッチ（２０）が、前記少なくとも一つの取り外し可能なユニット（１１）との通信のために、各スイッチギア・キャビネット（１０）の中に設けられ、
少なくともＴＣＰ／ＩＰアドレスの割り当てを管理するアプリケーション・サーバー（３０）、及び、その中に、少なくとも一つの取り外し可能なユニット（１１）のための少なくともアプライアンス・データが少なくとも貯えられおよび／または管理されるデータベース（４０）が、前記スイッチギア・キャビネットの外に設けられている。
【請求項３】
下記特徴を備えた請求項２に記載のスイッチギア・アセンブリ・システム：
各挿入区分（１２，１４，１６，１８）には、イーサネット・スイッチ（２０）の一義的なポート（１３，１５，１７，１９）が割り当てられる。
【請求項４】
下記特徴を備えた請求項１から３のいずれか１項に記載のスイッチギア・アセンブリ・システム：
前記データベース（４０）は、少なくとも各取り外し可能なユニット（１１）のために、少なくともその取り付け位置及びその意図された用途に関係する情報を含んでいる。
【請求項５】
下記特徴を備えた請求項１から４のいずれか１項に記載のスイッチギア・アセンブリ・システム：
前記データベース（４０）は、少なくとも各取り外し可能なユニット（１１）のために、前記イーサネット・スイッチ（２０）に関係する情報、及び、前記取り外し可能なユニット（１２，１４，１６，１８）が割り当てられる前記イーサネット・スイッチ（２０）のポート（１３，１５，１７，１９）に関係する情報を含んでいる。
【請求項６】
下記特徴を備えた請求項１から５のいずれか１項に記載のスイッチギア・アセンブリ・システム：
前記アプライアンス・データを、前記データベース（４０）と取り外し可能なユニット（１１）の間で、前記アプリケーション・サーバー（３０）を介して、交換することが可能である。
【請求項７】
下記特徴を備えた請求項１から６のいずれか１項に記載のスイッチギア・アセンブリ・システム：
前記アプリケーション・サーバー（３０）は、イーサネット・スイッチ（２０）の一つのポート（１３，１５，１７，１９）が割り当てられるアプライアンス（１１）を識別するための、アプライアンス識別ソフトウエアを備えている。
【請求項８】
下記特徴を備えた請求項７に記載のスイッチギア・アセンブリ・システム：
前記アプライアンス識別ソフトウエアは、イーサネット・スイッチ（２０）の一つのポート（１３，１５，１７，１９）に割り当てられたアプライアンス（１１）の、アプライアンス・タイプを識別することが可能である。
【請求項９】
下記特徴を備えた請求項８に記載のスイッチギア・アセンブリ・システム：
前記アプライアンス識別ソフトウエアは、前記データベース（４０）と取り外し可能なユニット（１１）の間での、前記アプリケーション・サーバー（３０）を介した、アプライアンス・データの交換をコントロールする。
【請求項１０】
スイッチギア・アセンブリの中での取り外し可能なユニット（１１）の取り付け方法であって、
前記取り外し可能なユニット（１１）は、スイッチギア・キャビネット（１０）の中の挿入区分（１２，１４，１６，１８）の中に取り付けられ、フィールドバスを介して通信を行い、アプライアンス・アドレスによって一義的に識別可能であり、アプライアンスの運転ために必要な基礎情報をメモリの中に貯えている、
取り付け方法において、
−  前記フィールドバスを介する通信が、イーサネットＴＣＰ／ＩＰテクノロジーに基づいており；
−  前記取り外し可能なユニット（１１）のアプライアンス・アドレスが、それらに対して自動的に割り当てられ、且つ、前記イーサネット・ネットワークの中に組み込まれたアプリケーション・サーバー（３０）により管理され、
−  少なくとも、各取り外し可能なユニット（１１）のための基礎情報が、前記取り外し可能なユニット（１１）に、データベース（４０）から自動的にダウンロードされること、を特徴とする取り付け方法。
【請求項１１】
下記特徴を備えた請求項１０に記載の方法：
前記アプライアンス・アドレスは、前記スイッチギア・アセンブリの中の前記スイッチギア・キャビネット（１０）の中への取り付けの間またはその後に、前記取り外し可能なユニット（１１）に自動的に割り当てられ、および／または、
前記基礎情報は、前記スイッチギア・キャビネット（１０）の中への前記取り外し可能なユニット（１１）の取り付けの間またはその後に、前記取り外し可能なユニット（１１）の中に自動的にダウンロードされる。
【請求項１２】
下記特徴を備えた請求項１０または１１に記載の方法：
少なくとも、各取り外し可能なユニット（１１）のための前記基礎情報は、前記データベース（４０）から前記アプリケーション・サーバー（３０）を介して、ダウンロードされる。
【請求項１３】
下記特徴を備えた請求項１０から１２のいずれか１項に記載の方法：
少なくとも一つの取り外し可能なユニット（１１）のための、少なくとも前記基礎情報及び更なるアプリケーション及びアプライアンス情報は、前記データベース（４０）から前記取り外し可能なユニット（１１）に、自動的にダウンロードされる。
【請求項１４】
下記特徴を備えた請求項１０から１３のいずれか１項に記載の方法：
前記スイッチギア・キャビネット（１０）の中の前記取り外し可能なユニット（１１）は、ＴＣＰ／ＩＰを介して、そのスイッチギア・キャビネット（１０）に割り当てられたイーサネット・スイッチ（２０）との間で通信を行う。
【請求項１５】
下記特徴を備えた請求項１０から１４のいずれか１項に記載の方法：
各挿入区分（１２，１４，１６，１８）、および／または、前記スイッチギア・キャビネットの中の各取り外し可能なユニットの取り付け位置に、前記イーサネット・スイッチ（２０）の一義的なポート（１３，１５，１７，１９）が割り当てられる。
【請求項１６】
下記特徴を備えた請求項１０から１５のいずれか１項に記載の方法：
全てのスイッチギア・アセンブリ・アプライアンス（１１）のアプライアンス・データが、前記データベース（４０）の中で管理される。
【請求項１７】
下記特徴を備えた請求項１０から１６のいずれか１項に記載の方法：
前記取り外し可能なユニット（１１）の使用についての情報、及びそれに付随する基礎情報が、その取り付け位置についての情報とともに、各取り外し可能なユニット（１１）のための前記データベース（４０）の中に貯えられる。
【請求項１８】
下記特徴を備えた請求項１０から１７のいずれか１項に記載の方法：
取り外し可能なユニット（１１）のアプライアンス・タイプが、前記スイッチギア・キャビネット（１０）の中の取り付け位置へのその取り付けの間に、前記アプリケーション・サーバー（３０）によって自動的に識別される。
【請求項１９】
下記特徴を備えた請求項１０から１８のいずれか１項に記載の方法：
前記データベース（４０）の中のアプライアンス・データと、前記アプリケーション・サーバー（３０）により識別されたアプライアンス・タイプとの間の整合性が、自動的にチェックされる。
【請求項２０】
下記特徴を備えた請求項１０から１９のいずれか１項に記載の方法：
必要な場合には、各方法のステップを、手動操作によりモニターすることおよび／または実行することができる。
【請求項２１】
スイッチギア・アセンブリの中に取り付けるための取り外し可能なユニット（１１）であって、
前記取り外し可能なユニット（１１）のフィールドバス通信が、イーサネットＴＣＰ／ＩＰテクノロジーに基づいており、
少なくとも一つのイーサネットＴＣＰ／ＩＰインターフェースが、前記取り外し可能なユニット（１１）の中に設けられていること、
を特徴とする取り外し可能なユニット（１１）。
【発明の詳細な説明】
【技術分野】
【０００１】
本発明は、スイッチギア・アセンブリ・システム、及びスイッチギア・アセンブリ、特に低電圧スイッチギア・アセンブリ、の中に取り外し可能なユニットを取り付けるための方法、及び取り外し可能なユニットに係る。
【背景技術】
【０００２】
取り外し可能な挿入の技術を使用するスイッチギア・アセンブリ・システム、特に低電圧スイッチギア・アセンブリは、原理的には、既に知られており、多くの製造者により様々なブランド・ネームを用いて市場化されている。例えば、シーメンス（SIEMENS）は、取り外し可能なユニット“Simocode DP”と共に“SIVACON”と言う名称を使用し、アーベーベー（ＡＢＢ）は、取り外し可能なユニット“INSUM”と共に“NNS”と言う名称を使用している。
【０００３】
このケースにおいて、非常に広範囲の様々な低電圧スイッチング装置が、今日、挿入部の中で、組み合わされ、取り付けられ、互いに接続されて、モジュール式の取り外し可能なユニットを構成しており、それらは、ここで、“アプライアンス”（appliances）とも呼ばれる。複数のアプライアンスが、フィールドバスを介して通信を行い、このフィールドバスは、以下のテクストにおいて、簡単に“バス”とも呼ばれる。これらの通信を行うアプライアンスのそれぞれには、通信を可能にするため、構成ツールにより一義的なアドレスが与えられる。このアドレスは、アプライアンスの中に、不揮発性の形で蓄えられ、具体的には、先行技術に基づき、ディップスイッチにより手動でセットされるか、あるいは、不揮発性の電子的メモリの中にセットされる。
【０００４】
それに加えて、運転のために必要な更なる基礎情報（以下のテクストにおいて“アプライアンス・データ”とも呼ばれる）が、不揮発性の形でアプライアンスの中に蓄えられる。このデータは、例えば、監視されなければならないあるいは適合していなければならない値、または、クリティカルな時間パラメータあるいはバス・プロトコルのためのパラメータを制限する。
【０００５】
新しいアプライアンスが、バスに接続されるとき、アプライアンス・アドレスが、先ず第一に、構成ツールを用いてプログラムされなければならない。このアプライアンス・アドレスは、アプライアンスについての混乱を防止し、それがバス・システムの中で識別されることを可能にするものである。このことは、バス接続がセットアップされ、アプライアンス・データをアプライアンスの中にロードすることが可能になる前に、他のツールを用いて、先ず第一に行われなければならない。
【０００６】
あるアプライアンスが交換されるとき、ツールの助けにより、アプライアンス・データが、先ず第一に読み込まれなければならならず、また、その新しいアプライアンスが物理的に取り付けられる前に、スイッチギア・アセンブリの外に一時的に貯えられなければならない。アドレスが、割り当てられ、その新しいアプライアンスに、上記のように、一時的な記憶装置からもう一度アプライアンス・データをロードすることが可能になる。
【０００７】
このように、先行技術に基づいて、スイッチギア・アセンブリの中で、取り外し可能なユニットが取り付けられるとき、必要なオペレーションを実行するために、多大な手動操作が必要になり、且つ手動でコントロールしなければならない追加的なアプライアンス及びソフトウエア・プログラムが必要になる。
【発明の開示】
【発明が解決しようとする課題】
【０００８】
以上のような先行技術の背景に対して、本発明の目的は、スイッチギア・アセンブリの中への取り外し可能なユニットの取り付けを相当程度、簡単にする、スイッチギア・アセンブリ・システム及び方法を提供することにある。
【課題を解決するための手段】
【０００９】
この目的は、スイッチギア・アセンブリ・システムに関しては、請求項１の特徴部分に規定された構成によって実現され、方法に関しては、請求項１０の特徴部分に規定された構成によって実現される。
【００１０】
このようにして、本発明によれば、スイッチギア・アセンブリの中の少なくとも一つの取り外し可能なユニットが、フィールドバスとの間でイーサネットＴＣＰ／ＩＰテクノロジーによって通信を行い、且つ、上記少なくとも一つの取り外し可能なユニットが、ＴＣＰ／ＩＰインターフェースを有している。
【００１１】
ＴＣＰ／ＩＰは、インターネット技術から生まれたバス・プロトコルの特定のタイプであり、インターネット技術の中で使用されている。イーサネットは、バスのタイプであり、産業的目的にも使用することができる。
【００１２】
本発明に基づくシステムの一つの非常に優位性のある実施形態において、少なくとも一つのイーサネット・スイッチが各スイッチギア・キャビネットの中に取り付けられ、それとの間で、少なくとも一つの取り外し可能なユニットが通信を行う。更に、アプリケーション・サーバーがイーサネット・ネットワークの中に設けられ、少なくともＴＣＰ／ＩＰアドレスの割り当てを管理し、且つ、データベースが設けられ、その中に、前記少なくとも一つの取り外し可能なユニットのための少なくともアプライアンス・データが、少なくとも貯えられおよび／または管理される。このケースにおいて、アプリケーション・サーバーによるアドレスの割り当てのために用いられるメカニズムは、ＤＨＣＰサーバーとも呼ばれ、このケースでは、先行技術の中で、既に本質的に知られている。
【００１３】
本発明の特に優位性のある一つの改善によれば、各挿入区分（以下のテクストにおいて、取り付けスロットとも呼ばれる）に、イーサネット・スイッチの一義的なポートが割り当てられる。このケースにおいて、複数の挿入区分または取り付け位置を、スイッチギア・キャビネット内の一つのレベル上に配置することができる。
【００１４】
本発明の更なる優位性のある改善のオプションによれば、前記データベースは、少なくとも各取り外し可能なユニットのために、少なくとも、取り付け位置に関係する情報及びその意図された用途に関係する情報を含んでいる。取り付け位置に関係する情報は、このケースでは、好ましくは、イーサネット・スイッチに関係する詳細、及び、取り外し可能なユニットが割り当てられるイーサネット・スイッチのポートに関係する詳細である。アプリケーションに関係する情報は、好ましくは、一義的なアプリケーションの識別及び関係するアプライアンス・データを含んでいる。
【００１５】
本発明に基づいてデザインされたシステムの特徴は、データベースと取り外し可能なユニットの間で、アプリケーション・サーバーを介して、アプライアンス・データを交換することができることである。
【００１６】
アプリケーション・サーバーが、イーサネット・スイッチのポートに割り当てられるアプライアンスを識別するためのアプライアンス識別ソフトウエアを含んでいることは、特に有利である。このケースにおいて、上記アプライアンス識別ソフトウエアは、イーサネット・スイッチの一つのポートに割り当てられるアプライアンスのアプライアンス・タイプを、識別することができる。上記アプライアンス識別ソフトウエアは、好ましくは、データベースと取り外し可能なユニットの間のアプリケーション・サーバーを介して、アプライアンス・データの交換をコントロールすることもできる。
【００１７】
スイッチギア・アセンブリの中への取り外し可能なユニットの取り付けのための方法に関して、本発明においては、フィールドバスを介しての通信が、イーサネットＴＣＰ／ＩＰテクノロジーに基づいており、且つ、取り外し可能なユニットのためのアプライアンス・アドレスが、イーサネット・ネットワークに組み込まれたアプリケーション・サーバーによって、それらに対して割り当てられ且つ自動的に管理され、少なくとも、各取り外し可能なユニットのための基礎情報が、データベースから取り外し可能なユニットに自動的にダウンロードされる。
【００１８】
このケースにおいて、特に好ましくは、スイッチギア・アセンブリのキャビネットの中への取り付けの間またはその後に、アプライアンス・アドレスが取り外し可能なユニットに自動的に割り当てられる、および／または、スイッチギア・キャビネットの中への取り外し可能なユニットの取り付けの間またはその後に、基礎情報が、取り外し可能なユニットの中に自動的にダウンロードされる。その理由は、取り外し可能なユニットの手動操作の必要が、それらを意図された取り付け位置の中へ挿入する前に、もはや無いからである。これによって、取り付けのプロセスがかなり簡単になる。
【００１９】
少なくとも、各取り外し可能なユニットのための基礎情報が、データベースから、アプリケーション・サーバーを介して、ダウンロードされることが、特に好ましい。基礎情報に加えて、少なくとも一つの取り外し可能なユニットのための更なるアプリケーション及びアプライアンス情報が、データベースから取り外し可能なユニットの中に、自動的にダウンロードされることも、特に好ましい。
【００２０】
それに加えて、一つの非常に優位性のある改善において、スイッチギア・キャビネットの中の取り外し可能なユニットは、ＴＣＰ／ＩＰにより、そのスイッチギア・キャビネットに割り当てられたイーサネット・スイッチとの間で通信を行う。そのとき、各スイッチギア・キャビネットのレベル、および／または、各取り外し可能なユニットの取り付け位置は、好ましくは、スイッチギア・キャビネットの中のイーサネット・スイッチの一義的なポートに割り当てられる。
【００２１】
本発明に基づく方法の一つの優位性のある改善は、全てのスイッチギア・アセンブリのアプライアンスのためのアプライアンス・データが、データベースの中で管理されることを特徴とする。それにより、取り外し可能なユニットの使用についての情報、及び、この目的のために必要となる基礎情報が、取り付け位置に関する情報とともに、各取り外し可能なユニットにとって好ましいやり方で、貯えられる。
【００２２】
本発明の高い優位性のある改善では、取り外し可能なユニットのアプライアンス・タイプが、スイッチギア・キャビネットの中の取り付け位置へそれを取り付ける間に、アプライアンス・サーバーにより自動的に識別される。アプリケーション・サーバーの中のソフトウエアは、適切なプログラム部分および／またはこの目的のためのルーチンを含んでいる。このケースにおいて、データベースの中のアプライアンス・データは、アプリケーション・サーバーによって識別され、アプライアンス・タイプとの間の整合性について自動的にチェックされる。もし、整合性が見出されなかった場合には、そのアプライアンス・データは自動的にロードされることがない。その代わりに、メッセージが発信され、それによって、アプライアンスの間の混乱に対する良好な保護が実現される。
【００２３】
全体として、本発明に基づく方法の優位性は、スイッチギア・キャビネットの中に新しい取り外し可能なユニットを取り付ける間、及び、例えばメンテナンス作業の途中などで取り外し可能なユニットを交換する間のいずれにおいて、手動操作による、プライアンス・アドレスおよび／またはアプライアンス・データの読み込み、読み出しあるいは交換の必要がないことである。従って、取り外し可能なユニットは、その意図された取り付け位置差し込まれるだけで、イーサネットのフィールドバス・システムに物理的に接続される。取り外し可能なユニットのロジカル・インストレーションの残りの部分は、その後で自動的に実行され、手動操作がない。
【００２４】
しかしながら、本発明のより優位性のある変形形態においては、方法の各ステップのための機能が、ユーザまたはオペレータが望む場合には、手動操作でモニターされおよび／または実行される。従って、人間のオペレータによる介入は、安全上の対策として、緊急事態発生の場合にいつでも可能である。
【００２５】
スイッチギア・アセンブリの中への取り付けのための、本発明に基づく取り外し可能なユニットの特徴は、当該取り外し可能なユニットが少なくとも一つのイーサネットＴＣＰ／ＩＰインターフェースを備えていて、当該取り外し可能なユニットのフィールドバス通信がイーサネットＴＣＰ／ＩＰテクノロジーに基づいていることにある。
【００２６】
本発明の更なる優位性のある改善及び改良、及び更なる優位は、従属請求項の中に見出すことができる。
【発明を実施するための最良の形態】
【００２７】
以下において、本発明及び本発明の更なる優位性のある改善及び改良について、本発明の一つの実施例を示す図面を参照して、より詳細に説明し記述する。
【００２８】
図１は、スイッチギア・キャビネット１０を示す、これは、スイッチギア・アセンブリ（図示せず）の一部である。このスイッチギア・キャビネット１０は、取り外し可能なユニットのための４つの取り付け位置１２，１４，１６，１８を備えている。一つの取り外し可能なユニット１１が、代表する形で、ここに示されている。これらの取り付け位置１４及び１６は、このケースにおいて、スイッチギア・キャビネット１０内の一つのレベル上に配置されている。
【００２９】
このスイッチギア・キャビネット１０はまた、イーサネット・スイッチ２０を備えている。これらのイーサネット・スイッチ２０は、スイッチギア・キャビネット内の取り付け位置１２，１４，１６，１８と同数のポート１３，１５，１７，１９を有している。ポート１３，１５，１７，１９のそれぞれは、一つの且つ唯一の、それぞれの取り付け位置１２，１４，１６，１８に接続される。ポート１３，１５，１７，１９とイーサネット・スイッチ２０の取り付け位置１２，１４，１６，１８、及び、ポート１３，１５，１７，１９と取り付け位置１２，１４，１６，１８の間の接続ラインは、イーサネットＴＣＰ／ＩＰに基づくフィールドバス・システムの一部である。
【００３０】
例を挙げれば、取り外し可能なユニット１１はモータの保護回路であって、この保護回路は、取り付けのために、取り付け位置１２に、矢印Ｐの方向に挿入される。挿入される間に、上記のイーサネットＴＣＰ／ＩＰに基づくバス・システムとの電気的接続が、プラグ接続を介して、取り付け位置１２に面した取り外し可能なユニット１１の狭い面でなされる。
【００３１】
イーサネットＴＣＰ／ＩＰに基づくフィールドバス・システムの一部はまた、アプリケーション・サーバー３０及びデータベース４０を含んでいる。このアプリケーション・サーバー３０は、スイッチギア・キャビネット１０の中で、イーサネット・スイッチ２０に接続されている。データベース４０は、このアプリケーション・サーバー３０に接続され、このアプリケーション・サーバー３０を介して、スイッチギア・キャビネット１０の中のイーサネット・スイッチ２０に間接的に接続される。
【００３２】
例えば、フィールドバス・コントローラまたは他のバス・サブスクライバのような、フィールドバス・システムの他の部分及びサブシステムは、図面を簡潔にするため、ここには示されていない。
【００３３】
全ての関係しているアプライアンスの間の、フィールドバスを介しての通信は、イーサネットＴＣＰ／ＩＰテクノロジーに基づいている。ＤＨＣＰサーバーによるアドレスの割り当てに用いられるメカニズムは、従来技術である。イーサネット・ネットワークに組み込まれているアプリケーション・サーバー３０は、ＤＨＣＰサーバーとして機能し、ＴＣＰ／ＩＰアドレスの割り当てを管理する。
【００３４】
それに加えて、少なくとも取り外し可能なユニットのためのアプライアンス・データが、データベース４０の中に貯えられ且つ管理される。このケースにおいて、データベース４０は、少なくとも、以下のアプライアンスに関係する情報を含む：
アプライアンスの一義的なアプリケーションの識別、例えば、スイッチギア・アセンブリが発電所の中で使用されるとき、発電所識別システム（ＫＫＳ）からの識別；
更なるアプライアンス・データ及び取り付け位置に関する情報、例えば、スイッチギア・キャビネット（イーサネット・スイッチ）及びそのアプライアンスが取り付けられる取り付け位置（イーサネット・スイッチのポート）。  
モータの保護回路１１のケースにおいては、このような更なるアプライアンス・データは、例えば、超えてならない電流または温度の制限値または断路またはトリップ回数を含む。
【００３５】
スイッチギア・キャビネット１０の中の、それらの取り付け位置１２，１４，１６，１８の中の取り外し可能なユニット１１は、先ず第一に、イーサネットＴＣＰ／ＩＰを介して、そのスイッチギア・キャビネット１０に割り当てられたイーサネット・スイッチ２０との間で通信を行う。このイーサネット・スイッチ２０及びより高いレベルのイーサネット・ネットワークのトポロジーは、冗長設計であっても良い。
【００３６】
スイッチギア・キャビネット１０の中の各取り付け位置１２，１４，１６，１８には、イーサネット・スイッチ２０の一義的なポートが割り当てられる。このケースにおいて、取り付け位置１２には、ポート１３が割り当てられ、取り付け位置１４にはポート１５が、取り付け位置１６にはポート１７が、そして、取り付け位置１８にはポート１９が、それぞれ割り当てられる。
【００３７】
新しいアプライアンスが、例えばモータ保護回路１１が取り付け位置に挿入されたとき、このケースでは、スイッチギア・アセンブリ１０の中での取り付け位置１２に挿入されたとき、アプリケーション・サーバー３０が、アプライアンスが取り付け位置に挿入されたこと、及び、どの取り付け位置にそれが挿入されたかを認識する。それから、アプリケーション・サーバー３０は、そのアプライアンスに、自動的にＴＣＰ／ＩＰアドレスを割り当てる。
【００３８】
アプリケーション・サーバー３０内のソフトウエア・プログラムは、新しいアプライアンスを識別し、その取り付け位置に対応するアプリケーション、及び必要なアプライアンス・データを、データベース４０からアプリケーション・サーバー３０を介して、そのアプライアンスへロードする。このプロセスの間、フィールドバス・システムは、最新のアプライアンス・データが、データベース４０の中でいつでも利用可能であることを確保する。
【００３９】
それに加えて、ソフトウエアは、どのタイプのアプライアンスが挿入されたか（例えば、モータ・サーキット・ブレーカ、モータ・スタータまたはヒューズ）について認識することができる。それから、そのアプリケーションおよび／またはこのアプライアンスに関するデータベースの中に貯えられたアプライアンス・データが、このアプライアンス・タイプと整合しているか否かを決定するために、チェックが行われる。もし整合が見出せられない場合には、そのアプリケーションは自動的にロードされずに、メッセージが発信される。これにより、取り外し可能なユニットの間の混乱に対しての、有効な保護が確保される。
【００４０】
もし、アプライアンス、例えばモータの保護回路１１が、スイッチギア・アセンブリ１０から取り除かれた場合には、アプリケーション・サーバー３０は、アプライアンスが取り除かれたと言う情報、及び、どのアプライアンスが取り除かれたかと言う情報を、データベース４０の中に貯える。アプライアンス・データを、手動操作で読み戻す必要はない。
【００４１】
アプライアンスが再び挿入されたとき、チェックが実行され、ＴＣＰ／ＩＰ通信が再びセットアップされ、そのアプライアンスが、以前この取り付け位置から取り除かれたアプライアンスであるかどうか、及び、その取り付け位置に依存するアプリケーションが未だ利用可能であるかどうかについて、決定する。このケースにおいて、アプリケーション・サーバーは、データベース４０からの新しいアプライアンス・データのダウンロードを行わない。しかしながら、チェックの結果、挿入されたアプライアンスが、新しいアプライアンスであることが示された場合には、そのアプライアンス・データが、そのアプライアンスの中に、データベース４０からアプリケーション・サーバー３０を介してロードされる。
【００４２】
上記の手順を開始または実行するために、アドレスの割り当て、アドレスの管理、及びアプライアンス・データのアプライアンスへの移送などの手動操作は。必要無い。取り外し可能なユニットを、その意図された取り付け位置に挿入するだけで、イーサネットのフィールドバス・システムに物理的に接続される。このとき、取り外し可能なユニットのロジカル・インストレーションの残りの部分は、手動操作無しで自動的に実行される。
【００４３】
しかしながら、必要があれば、ユーザまたはオペレータが望むときに、方法の各ステップを、手動操作でモニターしおよび／または実行することもできる。かくして、緊急事態が発生した場合に、安全上の対策として、いつでも人間のオペレータによる介入が可能である。
【図面の簡単な説明】
【００４４】
【図１】本発明のスイッチギア・アセンブリの一部であるスイッチギア・キャビネット１０を示す図。
【図１】
0004537388.tif 000002